(57)【要約】  本発明は、昆虫を繁殖させるための方法及び設備に関する。本発明によると、昆虫繁殖設備は、成虫及び昆虫の餌を受け取るように適合された産卵容器を含む産卵領域を含み、各産卵容器に少なくとも１つの産卵構造が設けられており、この産卵構造で母昆虫が産卵する。更に、卵が孵化する孵化領域が設けられ、この孵化領域は、この孵化領域からの初齢幼虫の定期的な回収を可能にする。孵化領域は、産卵容器のバッチの数に数が一致した複数の孵化室を含む。【選択図】  図１
2018509167.tif 000002
【特許請求の範囲】
【請求項１】
昆虫を繁殖させるための方法であって、
母昆虫を含む成虫が入れられた複数のバッチの産卵容器（３）が存在する産卵領域（２）を設けるステップであって、前記産卵容器（３）が、前記産卵領域で昆虫の餌を受け取るように適合されている又は前記昆虫の餌を既に受け取っている、ステップ；
前記産卵領域内の各産卵容器に少なくとも１つの産卵構造を設けるステップであって、前記産卵構造に、前記母昆虫が、前記産卵構造又は前記産卵構造の一部が卵を保持するように産卵し、前記産卵構造又は前記その一部が、前記成虫を前記産卵容器に残したまま前記産卵容器から取り出し可能である、ステップ；
産卵容器のバッチの数に数が一致する複数の孵化室（９）を含む孵化領域（４）を設けるステップであって、前記孵化室では卵が孵化し、前記孵化領域が、前記卵を保持する前記産卵構造又は前記その一部を受け取り、前記産卵構造又は前記その一部が前記産卵容器から取り出され、初齢幼虫の回収を可能にするように適合されており、ｎ番目の孵化室が、産卵容器のｎ番目のバッチに一致する前記卵を保持する前記産卵構造又は前記産卵構造の一部を受け取るように適合されている、ステップ；
前記母昆虫が、前記産卵領域内の産卵構造に産卵するステップ；
餌送達システム（７）を設けて、前記産卵容器に餌を定期的に送達するステップ；
前記卵を保持する前記産卵構造又は前記その一部を前記産卵容器から取り出して、これを前記孵化領域（４）に移送するように適合され、且つ空の産卵構造又はその一部を各産卵容器に供給するように適合された、産卵構造処理システムを含む産卵構造処理領域（８）を設けるステップであって、前記産卵構造処理領域が、好ましくは前記産卵構造又は前記その一部を清掃するようにも適合されている、ステップ；
前記産卵容器を前記産卵領域と前記産卵構造処理領域との間で移送するための容器処理システム（５ａ、５ｂ、５ｃ、５ｄ、５ｅ）を設けるステップ；
定期的に、
・前記産卵容器を、前記容器処理システムによって前記産卵領域から前記産卵構造処理領域に移送するステップ；
・前記卵を保持する前記産卵構造又はその一部を、前記成虫を前記産卵容器に残したまま、前記産卵構造処理システム（８）によって前記産卵容器のバッチから取り出すステップ；
・前記産卵構造又は前記その一部を、前記産卵構造処理システムによって前記孵化領域内の対応する孵化室に移送するステップ；
・空の産卵構造又はその一部を、前記産卵構造処理システムによって各産卵容器に供給するステップ；
・前記空の産卵構造を備えた前記産卵容器を、前記容器処理システムによって前記産卵構造処理領域から前記産卵領域に移送するステップ；
前記卵を前記孵化室で孵化させて、初齢幼虫を定期的に回収するステップを含む、昆虫を繁殖させるための方法。
【請求項２】
前記産卵容器のバッチ数が、成虫が前記産卵容器から取り出される周期に一致し、好ましくは頻繁に、古いバッチの産卵容器が清掃され、新しい成虫を含む新しいバッチの産卵容器が設けられる、請求項１に記載の昆虫を繁殖させるための方法。
【請求項３】
準備及び清掃領域（１５、１６）を設けるステップを更に含み、前記ステップでは、以下のステップ：
前記成虫を前記産卵容器から定期的に取り出すステップ；
前記産卵容器を清掃するステップ；
母昆虫を含む新しい成虫を前記産卵容器に入れるステップ
が行われる、請求項１又は２に記載の昆虫を繁殖させるための方法。
【請求項４】
前記産卵構造処理領域内で前記産卵構造を定期的に清掃するステップを更に含む、請求項１〜３のいずれか１項に記載の昆虫を繁殖させるための方法。
【請求項５】
複数のバッチの産卵容器（３）が存在する産卵領域（２）であって、前記産卵容器（３）が、前記産卵領域で母昆虫を含む成虫及び昆虫の餌を受け取るように適合されている又はこれらを既に受け取っている、産卵領域（２）；
複数の産卵構造であって、少なくとも１つの産卵構造が、前記産卵領域内の各産卵容器に設けられるように適合されている又は既に設けられており、前記産卵構造に、前記母昆虫が、前記産卵構造又は前記産卵構造の一部が卵を保持するように産卵し、前記産卵構造又は前記その一部が、前記成虫を前記産卵容器に残したまま前記産卵容器から取り出し可能である、複数の産卵構造；
前記産卵容器のバッチの数に数が一致する複数の孵化室（９）を含む孵化領域（４）であって、前記孵化室で前記卵が孵化し、前記孵化領域が、前記卵を保持する前記産卵構造又は前記その一部を受け取り、前記産卵構造又は前記その一部が前記産卵容器から取り出され、初齢幼虫の回収を可能にするように適合されており、ｎ番目の孵化室が、産卵容器のｎ番目のバッチに一致する前記卵を保持する前記産卵構造又は前記産卵構造の一部を受け取るように適合されている、孵化領域（４）；
前記卵を保持する前記産卵構造又は前記その一部を前記産卵容器から取り出して、前記産卵構造又は前記その一部を前記孵化領域（４）に移送するように適合され、且つ空の産卵構造又はその一部を各産卵容器に供給するように適合された、産卵構造処理システムを含む産卵構造処理領域（８）であって、好ましくは前記産卵構造又はその一部を清掃するようにも適合されている、産卵構造処理領域（８）；
前記産卵容器を前記産卵領域と前記産卵構造処理領域との間で移送するための容器処理システム（５ａ、５ｂ、５ｃ、５ｄ、５ｅ）を含む、昆虫繁殖設備（１）。
【請求項６】
前記成虫を前記産卵容器から取り出し、前記産卵容器を清掃し、新しい成虫を前記産卵容器に入れるように適合されている準備及び清掃領域（１５、１６）を更に含む、請求項５に記載の昆虫繁殖設備。
【発明の詳細な説明】
【技術分野】
【０００１】
本発明は、一般に、昆虫を繁殖させるための方法及び設備に関し、例えば、伸ばせる産卵管を有する這う母甲虫（ｍｏｔｈｅｒ  ｂｅｅｔｌｅ）のタイプの昆虫を繁殖させるための特定の方法及び産卵構造に関する。
【０００２】
繁殖という語は、産卵−卵を放出して産み付けるプロセス、及び孵化−卵から幼虫にするプロセスを含む、生殖の自然のプロセスを指す。繁殖は、昆虫を飼育するプロセスとは異なり、昆虫を飼育するプロセスは、初齢幼虫から成熟幼虫に昆虫を育てるプロセスを指し、場合によっては、蛹化させて甲虫にすることも含む。
【０００３】
昆虫を繁殖させるための一般的な既知の方法は、成虫及び昆虫の餌を受け取るように適合された産卵容器の準備を含む。各産卵容器には、１つ以上の取り出し可能な産卵構造が設けられ、この産卵構造に母昆虫（ｍｏｔｈｅｒ  ｉｎｓｅｃｔ）が産卵する。殆どの種は、卵を地面に産み落とすだけであり、このような場合には、産卵構造は薄い織物などにすることができるが、他の種は、卵を地面に付着させる又は産卵容器若しくは他の部分、例えば、葉若しくはそのために提供される他の構造に卵を付着させる。卵を保持する産卵構造又はその一部は取り出し可能である。従って、卵を回収し、孵化領域で孵化させることができる。
【背景技術】
【０００４】
昆虫を飼育するための方法及びシステムは、国際公開第２０１４１７１８２９号パンフレットにより公知であり、この飼育は、昆虫を初齢幼虫から成熟幼虫に育てるプロセスを指す。環境領域では、未成熟段階の昆虫が入った積み重ねられたクレート（ｃｒａｔｅ）が、何列にも並べられる。定期的に、個々のクレートが、観察ステーションを備えた給餌領域に移送される。回収した個々のクレートの観察に基づいて、追加の餌ストックを加えるべきか否か、又は回収するために昆虫の更なる飼育を終了する、若しくは更なる飼育を止めるべきかが決定される。
【発明の概要】
【発明が解決しようとする課題】
【０００５】
人の食用の昆虫の使用が、西欧諸国では新たなトレンドであるため、昆虫の繁殖施設の大規模化の要望が存在する。
【０００６】
本発明の第１及び第２の態様の目的は、更なる飼育に適した、初齢幼虫の信頼できる生産量を提供する、昆虫を繁殖させるための改善された方法及び設備を提供することにある。
【課題を解決するための手段】
【０００７】
本発明の第１の態様によると、昆虫を繁殖させるための設備が提供され、この設備は、
複数の産卵容器が存在する産卵領域であって、産卵容器が、産卵領域で母昆虫を含む成虫及び昆虫の餌を受け取るように適合されている又はこれらを既に受け取っており、複数の産卵容器が、産卵容器の１つ以上の積み重ねに積み重ねられる、産卵領域；
複数の産卵構造であって、少なくとも１つの産卵構造が、産卵領域内の各産卵容器に設けられるように適合されている又は既に設けられており、この産卵構造に、母昆虫が、産卵構造又は産卵構造の一部が卵を保持するように産卵し、前記産卵構造又は前記その一部が、成虫を産卵容器に残したまま産卵容器から取り出し可能である、複数の産卵構造；
卵が孵化する孵化領域であって、卵を保持する前記産卵構造又は前記その一部を受け取り、前記産卵構造又は前記その一部が産卵容器から取り出され、初齢幼虫の回収を可能にするように適合されている、孵化領域；
餌を産卵容器に送達するための餌送達システム；
卵を保持する前記産卵構造又は前記その一部を産卵容器から取り出して、これを孵化領域に移送するように適合され、且つ空の産卵構造又はその一部を各産卵容器に供給するように適合された、産卵構造処理システム含む産卵構造処理領域であって、好ましくは、産卵構造又はその一部を清掃するようにも適合されている、産卵構造処理領域；
産卵容器を産卵領域と産卵構造処理領域との間で移送するための容器処理システムを含む。
【０００８】
本発明の第１の態様は、昆虫を繁殖させるための方法に更に関し、この方法は、
母昆虫を含む成虫が入れられた複数の産卵容器が存在する産卵領域を設けるステップであって、この産卵容器が、産卵領域で昆虫の餌を受け取るように適合されている又はこの昆虫の餌を既に受け取っており、複数の産卵容器が、産卵容器の１つ以上の積み重ねに積み重ねられる、ステップ；
産卵領域内の各産卵容器に少なくとも１つの産卵構造を設けるステップであって、この産卵構造に、母昆虫が、産卵構造又は産卵構造の一部が卵を保持するように産卵し、前記産卵構造又は前記その一部が、成虫を産卵容器に残したまま産卵容器から取り出し可能である、ステップ；
卵が孵化する孵化領域を設けるステップであって、この孵化領域が、卵を保持する前記産卵構造又は前記その一部を受け取り、前記産卵構造又は前記その一部が産卵容器から取り出され、初齢幼虫の回収を可能にするように適合されている、ステップ；
餌を産卵容器に送達するための餌送達システムを設けるステップ；
卵を保持する前記産卵構造又は前記その一部を産卵容器から取り出して、これを孵化領域に移送するように適合され、且つ空の産卵構造又はその一部を各産卵容器に供給するように適合された、産卵構造処理システムを含む産卵構造処理領域を設けるステップであって、産卵構造処理領域が、好ましくは産卵構造又はその一部を清掃するようにも適合されている、ステップ；
産卵容器を産卵領域と産卵構造処理領域との間で移送するための容器処理システムを設けるステップ；
母昆虫が産卵構造で産卵するステップ；
定期的に、
・餌を産卵容器に送達するステップ；
・前記産卵容器を、産卵領域から産卵構造処理領域に移送するステップ；
・卵を保持する産卵構造又はその一部を、成虫を産卵容器に残したまま、産卵構造処理システムによって産卵容器から取り出すステップ；
・前記産卵構造又は前記その一部を、産卵構造処理システムによって孵化領域に移送するステップ；
・空の産卵構造又はその一部を、産卵構造処理システムによって各産卵容器に供給するステップ；
・産卵容器を、容器処理システムによって産卵構造処理領域から産卵領域に移送するステップ；
卵を孵化領域で孵化させて、初齢幼虫を定期的に回収するステップを含む。
【０００９】
従って、本発明の第１の態様によると、産卵容器は、少なくとも産卵プロセスの一部の最中に積み重ねられる。定期的に、好ましくは毎日、産卵容器は、産卵構造処理領域に移送され、卵を保持する産卵構造又はその一部が、成虫を産卵容器に残したまま産卵容器から取り出される。給餌は、卵が取り除かれる前又は後で行うことができる。本発明によると、卵は、卵を保持する産卵構造又はその一部を産卵容器から取り出して、これを孵化領域に移送することによって取り出される。産卵容器を産卵領域と産卵構造処理領域との間で移送するこのような容器処理システムは、プロセスの効率的な規模拡大をもたらす。
【００１０】
実施形態では、産卵容器は、互いの上に直接積み重ねられ、容器処理システムは、１つ以上の積み重ねをばらし、産卵容器を産卵領域内の１つ以上の積み重ねに積み重ね、そして個々の産卵容器を産卵領域と産卵構造処理領域との間で移送するように適合されている。有利なことに、積み重ねのプロセス及び積み重ねをばらすプロセスは、３０秒未満、好ましくは２５秒未満で行われる。容器処理システムは、連続モード、２４時間／日で動作するように適合することができる。
【００１１】
実施形態では、昆虫繁殖設備は、餌送達システムを含む給餌領域を更に含み、容器処理システムは、産卵容器を産卵領域と給餌領域との間で移送するように適合されている。
【００１２】
実施形態では、容器処理システムは、個々の産卵容器を産卵領域から給餌領域に、そして産卵構造処理領域に移送し、そして産卵領域に戻す。
【００１３】
実施形態では、産卵領域及び孵化領域の条件は個々に制御可能である。特に、温度、湿度、及び換気に関連した要件は、これらの領域間で異なり得る。場合によっては、産卵構造処理領域及び／又は給餌領域の条件も個々に制御可能である。
【００１４】
実施形態では、産卵容器は、間に周壁が設けられた４つの角を含む本質的に長方形の形状であり、この角部が、トレーの積み重ねを可能にすると共に、積み重ねられたトレーの重い荷重に対して十分な強度を提供する構造を有する。産卵容器の適切な寸法は、例えば、６００×８００ｍｍ又は６００×４００ｍｍであり、１２５ｍｍの高さを有する。有利なことに、積み重ねは、３０〜４０の容器を含み得、最大５メートルの高さになる。このような積み重ねの重量は、最大２００ｋｇであり得る。
【００１５】
一部の昆虫は、割れ目に産卵することを好むため、産卵容器の内面は、本質的に平滑で継ぎ目のない鋭い角を有する。
【００１６】
実施形態では、複数の産卵容器は、産卵容器の多数の積み重ねに積み重ねられる。実施形態では、積み重ねは、最大１００の積み重ねの列で配置され、これらの列は、５０〜１００ｃｍの換気空間によって分離される。
【００１７】
実施形態では、産卵容器の積み重ねを受容するように適合された産卵容器ホルダーが、産卵領域に設けられている。これは、例えば、パレットであり得るが、倉庫構造が産卵領域に設けられて、多数の積み重ねが隣接して互いの上に保管されることも十分に考えられる。或いは、産卵容器は、トレーとして実施され、そして産卵容器ホルダーは、トレーキャビネットとして実施される。
【００１８】
実施形態では、産卵容器の積み重ねを互いの上に保管することができる保管棚が設けられる。このような実施形態では、積み重ねは、１５の容器を含み得、２メートルの高さとなり、この上に積み重ねられた約２メートルの別の積み重ねを、保管棚に保管することができる。
【００１９】
実施形態では、産卵容器の角の部分が、上部角支持面及び底部角支持面を画定する。有利なことに、上部及び底部角支持面は、トレーを積み重ねることができる噛み合い構造を有する。例えば、角支持面は、突出部及び対応する凹部を備えることができ、これにより、産卵容器を安定に積み重ねることができ、横にずれるリスクが低減される。
【００２０】
代替の実施形態では、産卵領域に、積み重ね要素が設けられ、この積み重ね要素は、産卵容器の積み重ねを形成するために２つの産卵容器間で位置合わせ可能である。実施形態では、上部及び底部角支持面は、積み重ね要素を、第１の産卵容器の上部角支持面と第２の産卵容器の底部角支持面との間に配置できるように適合されている。
【００２１】
実施形態では、産卵容器の底部は、糞便の除去を可能にするための穿孔領域を備え、このような産卵容器の積み重ねの下の産卵領域に、糞便回収トレーが配置される。有利なことに、この穿孔領域は、餌が送達される産卵容器内の領域から離れて設けられる。実施形態では、穿孔領域は、産卵容器内の産卵構造からも離れている。実施形態では、穿孔領域は、産卵容器の中心に設けられる。実施形態では、１つ、２つ、又はそれ以上の穿孔領域が設けられる。有利なことに、穿孔領域は、産卵容器の全底面の１０〜３０％を占める。
【００２２】
穿孔領域は、好ましくは、糞便（糞）の除去を可能にするが、成虫が閉じ込められない寸法の開口を有する。ガイマイゴミムシダマシ（ｌｅｓｓｅｒ  ｍｅａｌｗｏｒｍ）では、開口の好ましい最大寸法は２〜６ｍｍである。
【００２３】
穿孔領域は、例えば射出成型プロセスで、産卵容器と一体に形成することが考えられる。或いは、産卵容器の底部は、メッシュが設けられた開口を備える。このようなメッシュは、例えば、ナイロン又はステンレス鋼から形成することができる。一部の昆虫は、割れ目に産卵することを好むため、産卵容器の内面が、本質的に平滑で継ぎ目のない鋭い角を残したまま、メッシュが有利に設けられる。
【００２４】
実施形態では、産卵容器は、熱及びＣＯ２の放散を可能にするための換気孔を備えた周壁を含む。最適な産卵条件を得るために、昆虫繁殖センターの産卵領域の状態、例えば、温度、湿度、及び換気が有利に制御可能である。従って、各産卵容器内の状態を制御するためには、１つ以上の換気孔を設けることが好ましい。有利なことに、換気孔は、周壁の１０〜５０％、より好ましくは３０〜４０％を占める。有利なことに、換気孔は、周壁の反対側に設けられる。
【００２５】
産卵容器が、間に４つの側面が設けられる４つの角を含む本質的に長方形の形状である実施形態では、場合によっては、１つ以上の側面の少なくとも一部が、換気孔を提供するために下げられる。
【００２６】
実施形態では、準備及び清掃領域が、定期的に成虫を産卵容器から取り出し、産卵容器を清掃し、そして母昆虫を含む新しい成虫を産卵容器に入れるために設けられる。
【００２７】
有利なことに、産卵構造処理領域で、産卵構造の定期な清掃を行うことが可能である。
【００２８】
本発明の第２の態様によると、昆虫を繁殖させるための方法が提供され、この方法は、
母昆虫を含む成虫が入れられた複数のバッチの産卵容器が存在する産卵領域を設けるステップであって、この産卵容器が、産卵領域で昆虫の餌を受け取るように適合されている又はこの昆虫の餌を既に受け取っている、ステップ；
産卵領域内の各産卵容器に少なくとも１つの産卵構造を設けるステップであって、この産卵構造に、母昆虫が、産卵構造又は産卵構造の一部が卵を保持するように産卵し、前記産卵構造又は前記その一部が、成虫を産卵容器に残したまま産卵容器から取り出し可能である、ステップ；
産卵容器のバッチの数に数が一致する複数の孵化室を含む孵化領域を設けるステップであって、孵化室では卵が孵化し、孵化領域が、卵を保持する前記産卵構造又は前記その一部を受け取り、前記産卵構造又は前記その一部が産卵容器から取り出され、初齢幼虫の回収を可能にするように適合されており、ｎ番目の孵化室が、産卵容器のｎ番目のバッチに一致する卵を保持する産卵構造又は産卵構造の一部を受け取るように適合されている、ステップ；
母昆虫が、産卵構造に産卵するステップ；
餌送達システムを設けて、産卵容器に餌を定期的に送達するステップ；
卵を保持する前記産卵構造又は前記その一部を産卵容器から取り出して、これを孵化領域に移送するように適合され、且つ空の産卵構造又はその一部を各産卵容器に供給するように適合された、産卵構造処理システムを含む産卵構造処理領域を設けるステップであって、この産卵構造処理領域が、好ましくは産卵構造又はその一部を清掃するようにも適合されている、ステップ；
産卵容器を産卵領域と産卵構造処理領域との間で移送するための容器処理システムを設けるステップ；
母昆虫が、産卵構造に産卵するステップ；
定期的に、
・産卵容器を、産卵領域から産卵構造処理領域に移送するステップ；
・卵を保持する産卵構造又はその一部を、産卵構造処理システムによって産卵容器のバッチから取り出すステップ；
・前記産卵構造又は前記その一部を、前記産卵構造処理システムによって孵化領域内の対応する孵化室に移送するステップ；
・空の産卵構造又はその一部を、産卵構造処理システムによって各産卵容器に供給するステップ；
・産卵容器を、容器処理システムによって産卵構造処理領域から産卵領域に移送するステップ；
卵を孵化室で孵化させて、初齢幼虫を定期的に回収するステップを含む。
【００２９】
本発明の第２の態様はまた、昆虫繁殖設備にも関し、この昆虫繁殖設備は、
複数のバッチの産卵容器が存在する産卵領域であって、この産卵容器が、産卵領域で母昆虫を含む成虫及び昆虫の餌を受け取るように適合されている又はこれらを既に受け取っており、複数の産卵容器が、産卵容器の１つ以上の積み重ねに積み重ねられる、産卵領域；
複数の産卵構造であって、少なくとも１つの産卵構造が、産卵領域内の各産卵容器に設けられるように適合されている又は既に設けられており、この産卵構造に、母昆虫が、産卵構造又は産卵構造の一部が卵を保持するように産卵し、前記産卵構造又は前記その一部が、成虫を産卵容器に残したまま産卵容器から取り出し可能である、複数の産卵構造；
産卵容器のバッチの数に数が一致する複数の孵化室を含む孵化領域であって、孵化室で卵が孵化し、孵化領域が、卵を保持する前記産卵構造又は前記その一部を受け取り、前記産卵構造又は前記その一部が産卵容器から取り出され、初齢幼虫の回収を可能にするように適合されており、ｎ番目の孵化室が、産卵容器のｎ番目のバッチに一致する卵を保持する産卵構造又は産卵構造の一部を受け取るように適合されている、孵化領域；
卵を保持する前記産卵構造又は前記その一部を産卵容器から取り出して、これを孵化領域に移送するように適合され、且つ空の産卵構造又はその一部を各産卵容器に供給するように適合された、産卵構造処理システム含む産卵構造処理領域であって、好ましくは、産卵構造又はその一部を清掃するようにも適合されている、産卵構造処理領域；
産卵容器を産卵領域と産卵構造処理領域との間で移送するための容器処理システムを含む。
【００３０】
一致する数のバッチの産卵容器と孵化室とを提供する効果は、孵化室から回収される初齢幼虫の各バッチを、これらの初齢幼虫の母昆虫を含む産卵容器のバッチから追跡することができることである。
【００３１】
このように、母昆虫の生産性、及び昆虫の餌、温度などの影響を容易に監視することができる。結果として、生産性が低下した場合、産卵容器のバッチを適宜交換することが可能である。他方、高い生産性の産卵容器のバッチを、予定よりも長く産卵領域に維持することも可能である。これにより、生産される初齢幼虫の量の柔軟性が保障される。更に、有利なことに、産卵容器のバッチの生産性及び対応する回収される初齢幼虫の数の履歴データを考慮して、まだ回収されていない初齢幼虫の数を予測することができる。
【００３２】
昆虫の繁殖中、一定期間内において、産卵容器のバッチの数が、孵化室の数に正確には一致しないと考えられることに留意されたい。有利なことに、多数のスペアの産卵容器を含む緩衝装置が利用可能であり、且つ／又は多数のスペアの孵化室を含む緩衝装置が設けられる。
【００３３】
実施形態では、産卵容器のバッチの数は、成虫が産卵容器から取り出される周期に一致している。例えば、成体甲虫（ａｄｕｌｔ  ｂｅｅｔｌｅ）が１４０日の間産卵することができる実施形態では、１４０日後に成体甲虫が取り出され、１４０バッチの産卵容器及び１４０の孵化室も設けられる。このように、連続的な生産が保障される。柔軟性の観点から、やや多い数、例えば、１５０のバッチの産卵容器及び孵化室が設けられることが考えられる。有利なことに、頻繁に、古いバッチの産卵容器が清掃され、新しい成虫を含む新しいバッチの産卵容器が設けられる。例えば、毎日、新しいバッチの５０の産卵容器が、産卵領域に設けられる。
【００３４】
本発明の第２の態様によると、産卵構造処理システムは、産卵構造又は前記その一部を対応する孵化室に移送する。実施形態では、可動性の孵化室が設けられる。その結果、対応する孵化室を、対応する産卵構造を受け取るために産卵構造処理領域の近傍に配置することができる。
【００３５】
有利なことに、初齢幼虫は、初齢幼虫回収容器で回収される。好ましくは、各孵化室は、対応する初齢幼虫の回収容器を備え、特定の回収容器内の初齢幼虫を、これらの初齢幼虫の母昆虫を含む産卵容器のバッチから追跡することができる。
【００３６】
実施形態では、定期的に、成虫を産卵容器から取り出し、産卵容器を清掃し、そして母昆虫を含む新しい成虫を産卵容器に入れるために準備及び清掃領域が設けられる。
【００３７】
有利なことに、産卵構造処理領域で、産卵構造の定期的な清掃を行うことが可能である。
【００３８】
本発明の第３の態様の目的は、大規模化に適した、伸ばせる産卵管を有する這う母甲虫のタイプの昆虫、例えば、ガイマイゴミムシダマシ又はツヤケシオオゴミムシダマシ（Ｚｏｐｈｏｂａｓ  ｍｏｒｉｏｓ）を繁殖させるための改善された方法及び設備を提供することにある。
【００３９】
ガイマイゴミムシダマシ（ｌｅｓｓｅｒ  ｍｅａｌｗｏｒｍ）は、正式にはガイマイゴミムシダマシ（Ａｌｐｈｉｔｏｂｉｕｓ  ｄｉａｐｅｒｉｎｕｓ）として知られ、ゴミムシダマシ科の甲虫種、ゴミムシダマシである。特定の他のゴミムシダマシの幼虫のような幼虫は、消費に適している。ペットフードとして、これらは、バッファローワーム（ｂｕｆｆａｌｏ  ｗｏｒｍ）と呼ばれている。ツヤケシオオゴミムシダマシもまた、ゴミムシダマシ種であり、その幼虫は、スーパーワーム又はゾホバス（ｚｏｐｈｏｂａｓ）という一般名で知られている。
【００４０】
ガイマイゴミムシダマシの成虫の雌甲虫は、通常は約４００〜９００の卵を産むが、最大２０００の卵を産むことが知られている。雌甲虫は、その一生に亘って数日おきに産卵し、一般に最大で１年続く。雌甲虫は、ゴミ、糞、穀物貯蔵庫、又は構造物の割れ目に産み付ける。１週間以内に幼虫になり、条件と餌の供給によって４０〜１００日で成熟する。
【００４１】
ガイマイゴミムシダマシの小さくて白い豆型の卵は約１．５ｍｍの長さである。幼虫は、その最後の亜成体の段階では最大２０ｍｍの長さである。幼虫は、先細で体節に分かれ、前端に３対の脚がある。幼虫は、卵から孵ったときは白っぽいが、次第に濃くなり黄褐色になる。幼虫は、齢期間で脱皮する（外骨格を脱ぐ）準備のときに青白くなる。次いで、幼虫は蛹の段階に入る。蛹は、餌を食べず不活性のように見えるが、甲虫に変態する。蛹化後に、蛹から白い成体甲虫になる。この成体甲虫はすぐに茶色になり、そしてほぼ黒になる。成体のガイマイゴミムシダマシは、約６ｍｍの長さで、幅広の楕円形である。
【００４２】
本発明の第３の態様は、伸ばせる産卵管を有する這う母甲虫のタイプの昆虫、例えば、ガイマイゴミムシダマシ又はツヤケシオオゴミムシダマシを繁殖させるための昆虫繁殖設備に使用される昆虫産卵容器に関し、この昆虫産卵容器には、母昆虫が産卵する少なくとも１つの産卵構造が設けられ、昆虫産卵容器は底部を備え、この底部に産卵構造が隣接し、産卵構造は、母甲虫が容器の底部から産卵構造の登坂可能な面の上をこの面に沿って這うことができるように登坂可能な面を有し、且つ登坂可能な面からアクセス可能な多数の間隙を備え、これらの間隙は、母甲虫の産卵管に合わせられた寸法を有する。
【００４３】
本発明の第３の態様は、伸ばせる産卵管を有する這う母甲虫のタイプの昆虫、例えば、ガイマイゴミムシダマシ又はツヤケシオオゴミムシダマシを繁殖させるための昆虫繁殖設備に使用される昆虫産卵容器に更に関し、この産卵容器には、少なくとも１つの産卵構造が設けられ、この産卵構造に母昆虫が産卵し、産卵構造は、相互距離の増減を可能にするように互いに対して移動可能な第１の部分及び第２の部分を含み、
・産卵を目的として、産卵構造の第１及び第２の部分が、多数の間隙がそれらの間に形成されるように互いに対して位置合わせ可能であり、且つ
・孵化及び／又は清掃を目的として、産卵構造の第１の部分と第２の部分との間の距離が、広くなるように適合されている。
【００４４】
本発明の第３の態様は、伸ばせる産卵管を有する這う母甲虫のタイプの昆虫、例えば、ガイマイゴミムシダマシ又はツヤケシオオゴミムシダマシを繁殖させるための昆虫繁殖設備に更に関し、この昆虫繁殖設備は、
複数の産卵容器が存在する産卵領域であって、この産卵容器が、産卵領域で母昆虫を含む成虫及び昆虫の餌を受け取るように適合されている又はこれらを既に受け取っている、産卵領域；
複数の産卵構造であって、少なくとも１つの産卵構造が、産卵領域内の各産卵容器に設けられるように適合されている又は既に設けられており、この産卵構造に、母昆虫が、産卵構造又は産卵構造の一部が卵を保持するように産卵し、前記産卵構造又は前記その一部が、成虫を産卵容器に残したまま産卵容器から取り出し可能である、複数の産卵構造；
卵が孵化する孵化領域であって、卵を保持する前記産卵構造又は前記その一部を受け取り、前記産卵構造又は前記その一部が産卵容器から取り出され、初齢幼虫の回収を可能にするように適合されている、孵化領域；
餌を産卵容器に送達するための餌送達システム；
卵を保持する前記産卵構造又は前記その一部を産卵容器から取り出して、これを孵化領域に移送するように適合され、且つ空の産卵構造又はその一部を各産卵容器に供給するように適合された、産卵構造処理システム含む産卵構造処理領域であって、好ましくは、産卵構造又はその一部を清掃するようにも適合されている、産卵構造処理領域；
産卵容器を産卵領域と産卵構造処理領域との間で移送するための容器処理システムを含む。
【００４５】
本発明の第３の態様は、伸ばせる産卵管を有する這う母甲虫のタイプの昆虫、例えば、ガイマイゴミムシダマシ又はツヤケシオオゴミムシダマシを繁殖させるための昆虫繁殖設備に更に関し、この昆虫繁殖設備は、
複数の産卵容器が存在する産卵領域であって、この産卵容器が、産卵領域で母昆虫を含む成虫及び昆虫の餌を受け取るように適合されている又はこれらを既に受け取っている、産卵領域；
複数の産卵構造であって、少なくとも１つの産卵構造が、産卵領域内の各産卵容器に設けられるように適合されている又は既に設けられており、この産卵構造に、母昆虫が、産卵構造又は産卵構造の一部が卵を保持するように産卵し、前記産卵構造又は前記その一部が、成虫を産卵容器に残したまま産卵容器から取り出し可能であり、各産卵構造が、相互距離の増減を可能にするように互いに対して移動可能な第１の部分及び第２の部分を含み、
・産卵を目的として、産卵構造の第１及び第２の部分が、多数の間隙がそれらの間に形成されるように互いに対して位置合わせ可能であり；
・孵化及び／又は清掃を目的として、産卵構造の第１の部分と第２の部分との間の距離が、広くなるように適合されている、複数の産卵構造；
卵が孵化する孵化領域であって、卵を保持する前記産卵構造又は前記その一部を受け取り、前記産卵構造又は前記その一部が産卵容器から取り出され、初齢幼虫の回収を可能にするように適合されている、孵化領域；
餌を産卵容器に送達するための餌送達システム；
卵を保持する前記産卵構造又は前記その一部を産卵容器から取り出して、これを孵化領域に移送するように適合され、且つ空の産卵構造又はその一部を各産卵容器に供給するように適合された、産卵構造処理システム含む産卵構造処理領域であって、好ましくは、産卵構造又はその一部を清掃するようにも適合されている、産卵構造処理領域；
産卵容器を産卵領域と産卵構造処理領域との間で移送するための容器処理システムを含む。
【００４６】
本発明の第３の態様は、伸ばせる産卵管を有する這う母甲虫のタイプの昆虫、例えば、ガイマイゴミムシダマシ又はツヤケシオオゴミムシダマシを繁殖させるための方法に更に関し、この方法は、
母昆虫を含む成虫が入れられた複数の産卵容器が存在する産卵領域を設けるステップであって、この産卵容器が、産卵領域で昆虫の餌を受け取るように適合されている又はこの昆虫の餌を既に受け取っている、ステップ；
産卵領域内の各産卵容器に少なくとも１つの産卵構造を設けるステップであって、この産卵構造に、母昆虫が、産卵構造又は産卵構造の一部が卵を保持するように産卵し、前記産卵構造又はその一部が、成虫を産卵容器に残したまま産卵容器から取り出し可能である、ステップ；
卵が孵化する孵化領域を設けるステップであって、この孵化領域が、卵を保持する前記産卵構造又は前記その一部を受け取り、前記産卵構造又は前記その一部が産卵容器から取り出され、初齢幼虫の回収を可能にするように適合されている、ステップ；
餌を産卵容器に送達するための餌送達システムを設けるステップ；
卵を保持する前記産卵構造又は前記その一部を産卵容器から取り出して、これを孵化領域に移送するように適合され、且つ空の産卵構造又はその一部を各産卵容器に供給するように適合された、産卵構造処理システムを含む産卵構造処理領域を設けるステップであって、産卵構造処理領域が、好ましくは産卵構造又はその一部を清掃するようにも適合されている、ステップ；
産卵容器を産卵領域と産卵構造処理領域との間で移送するための容器処理システムを設けるステップ；
母甲虫が産卵構造の間隙に産卵するステップ；
定期的に、
・餌を産卵容器に送達するステップ；
・前記産卵容器を、産卵領域から産卵構造処理領域に移送するステップ；
・卵を保持する産卵構造又はその一部を、成虫を産卵容器に残したまま、産卵構造処理システムによって産卵容器から取り出すステップ；
・前記産卵構造又は前記その一部を、産卵構造処理システムによって孵化領域に移送するステップ；
・空の産卵構造又はその一部を、産卵構造処理システムによって各産卵容器に供給するステップ；
・産卵容器を、容器処理システムによって産卵構造処理領域から産卵領域に移送するステップ；
卵を孵化領域で孵化させて、初齢幼虫を定期的に回収するステップを含む。
【００４７】
本発明の第３の態様は、伸ばせる産卵管を有する這う母甲虫のタイプの昆虫、例えば、ガイマイゴミムシダマシ又はツヤケシオオゴミムシダマシを繁殖させるための方法に更に関し、この方法は、
母昆虫を含む成虫が入れられた複数の産卵容器が存在する産卵領域を設けるステップであって、この産卵容器が、産卵領域で昆虫の餌を受け取るように適合されている又はこの昆虫の餌を既に受け取っている、ステップ；
産卵領域内の各産卵容器に少なくとも１つの産卵構造を設けるステップであって、この産卵構造に、母昆虫が、産卵構造又は産卵構造の一部が卵を保持するように産卵し、前記産卵構造又はその一部が、成虫を産卵容器に残したまま産卵容器から取り出し可能であり、各産卵構造が、相互距離の増減を可能にするように互いに対して移動可能な第１の部分及び第２の部分を含む、ステップ；
卵が孵化する孵化領域を設けるステップであって、この孵化領域が、卵を保持する前記産卵構造又は前記その一部を受け取り、前記産卵構造又は前記その一部が産卵容器から取り出され、初齢幼虫の回収を可能にするように適合されている、ステップ；
餌を産卵容器に送達するための餌送達システムを設けるステップ；
卵を保持する前記産卵構造又は前記その一部を産卵容器から取り出して、これを孵化領域に移送するように適合され、且つ空の産卵構造又はその一部を各産卵容器に供給するように適合された、産卵構造処理システムを含む産卵構造処理領域を設けるステップであって、産卵構造処理領域が、好ましくは産卵構造又はその一部を清掃するようにも適合されている、ステップ；
産卵容器を産卵領域と産卵構造処理領域との間で移送するための容器処理システムを設けるステップ；
産卵構造の第１の部分と第２の部分との間に多数の間隙が形成されるようにこれらの部分を互いに対して位置合わせするステップ；
母甲虫に、産卵構造の第１の部分及び／又は第２の部分にある間隙に産卵させるステップ；
定期的に、
・餌を産卵容器に送達するステップ；
・産卵容器を、産卵領域から産卵構造処理領域に移送するステップ；
・産卵構造の第１の部分と第２の部分との間の距離を広げるステップ；
・卵を保持する産卵構造又はその一部を、成虫を産卵容器に残したまま産卵構造処理システムによって産卵容器から取り出すステップ；
・前記産卵構造又は前記その一部を、産卵構造処理システムによって孵化領域に移送するステップ；
・空の産卵構造又はその一部を、産卵構造処理システムによって各産卵容器に供給するステップ；
・産卵容器を、容器処理システムによって産卵構造処理領域から産卵領域に移送するステップ；
卵を孵化領域で孵化させて、初齢幼虫を定期的に回収するステップを含む。
【００４８】
本発明は、伸ばせる産卵管を有する這う母甲虫のタイプの昆虫、例えば、ガイマイゴミムシダマシ又はツヤケシオオゴミムシダマシが間隙に産卵することを好むこと、及び卵が食べられることが、回収される初齢幼虫の数に悪影響を与えること、及び卵の孵化の最適な条件と産卵の最適な条件とが異なることの１つ以上の洞察に基づいている。
【００４９】
ガイマイゴミムシダマシを繁殖させるための実施形態では、間隙の幅は、ガイマイゴミムシダマシの産卵管（ｏｖｉｐｏｓｉｔｏｒ）（産卵管（ｅｇｇ  ｌａｙｉｎｇ  ｔｕｂｅ））の直径に基づいて０．２〜１．２ｍｍである。ツヤケシオオゴミムシダマシを繁殖させる場合の間隙の幅は、０．２〜１．８ｍｍである。ガイマイゴミムシダマシの場合は、比較的広い間隙、例えば、１．０ｍｍを超えると、そしてツヤケシオオゴミムシダマシの場合は１．５ｍｍを超えると、母甲虫の産卵効率が低下し得ることに留意されたい。上記の幅を超えると、母甲虫は、卵を産み付けるのではなく、卵を単純に放出し／散乱させる。上記の範囲の低い値で幅が狭い場合も同様に効率が低下することが考えられる。
【００５０】
間隙の深さは、０．５〜１０．０ｍｍである。間隙か浅すぎる場合は、甲虫が卵を食べることがある。一般に、間隙が深くなればなるほど、より多くの卵が間隙の中に産み付けることができるが、間隙が卵で塞がれることになるリスクを伴う。
【００５１】
間隙は、任意の形状の断面、例えば、円形、正方形、三角形、又は多角形を有し得る。実施形態では、間隙の断面は均一である。実施形態では、間隙は、甲虫の進入を容易にするために産卵構造の側面に向かって先細であり、そこに母昆虫が入れられる。間隙は、母甲虫の産卵管に合わせられた幅及び深さ、並びに多数の母甲虫が互いに接近した卵を産み付けることができる長さを有するため細長くすることが考えられる。
【００５２】
実施形態では、昆虫産卵容器は、底部を備え、この底部に産卵構造が隣接し、産卵構造は、母甲虫がこの底部から産卵構造の登坂可能な面の上をこの面に沿って這うことができるように登坂可能な面を有し、この登坂可能な面から多数の間隙にアクセス可能である。これは、甲虫が卵を食べるのを困難にし、そして間隙が糞便及び／又は餌によって塞がれないようにするため有利である。更に、比較的大きい産卵領域は、産卵容器の設置面積を考慮して得られる。このような実施形態では、卵を保持する産卵構造又はその一部を産卵容器から取り出す前に、産卵構造に依然として存在する母甲虫が、前記産卵構造又はその一部から振り落とされる、及び／又は払い落される、及び／又は吹き飛ばされる。実施形態では、登坂可能な面は、本質的に垂直の向きを有する。
【００５３】
産卵構造は、金属、セラミック、又はプラスチックから形成することができる。プラスチックが、コストの面から好ましい。産卵構造の寸法は、例えば、１００×３００×５ｍｍであり得る。
【００５４】
実施形態では、産卵容器の底部は、糞便の除去を可能にするために穿孔領域を備えている。これは、本発明の第１の態様に関連して更に説明されており、本発明の第３の態様にも当てはまる。
【００５５】
実施形態では、卵の周りの拡大領域（自由空間）は、孵化の雰囲気を最適化することが望ましい。卵は、非常に脆弱であり、孵化すると、初齢幼虫は、間隙から出るためのより広い空間を必要とする。間隙が小さすぎると、卵が水分を含んで濡れるリスク、及び幼虫が間隙の壁に付着するリスクがある。拡大領域は、孵化プロセスの開始時、又は孵化の数日後の終了時点でのみ、又はこれらの間に形成されることが考えられる。拡大領域はまた、初齢幼虫を回収する目的のためだけに得られ得る。拡大領域はまた、産卵構造を清掃する目的のためだけに得られることも考えられる。
【００５６】
本発明の第３の態様は、更に、伸ばせる産卵管を有する這う母甲虫のタイプの昆虫、例えば、ガイマイゴミムシダマシ又はツヤケシオオゴミムシダマシを繁殖させるための昆虫繁殖設備に使用される昆虫産卵容器に関し、この産卵容器は、少なくとも１つの産卵構造を備え、この産卵構造に、母昆虫が産卵し、産卵構造は、相互距離の増減を可能にするように互いに対して移動可能な第１の部分及び第２の部分を含み、
産卵を目的として、産卵構造の第１及び第２の部分が、多数の間隙がそれらの間に形成されるように互いに対して位置合わせ可能であり、
孵化及び／又は清掃を目的として、産卵構造の第１の部分と第２の部分との間の距離が広げられるように適合されている。
【００５７】
互いに対して移動可能な第１及び第２の部分を含むこのような産卵構造により、相互の距離の増減が可能となる。産卵を目的として、産卵構造の第１及び第２の部分は、多数の間隙がこれらの間に形成されるように互いに対して位置合わせされる。有利なことに、産卵構造は、産卵中に産卵構造の第１及び／又は第２の部分にある間隙に甲虫が卵を産み付けるために、甲虫の延びる産卵管の間隙への進入及び通過を可能にする一方で、間隙への口の進入を妨げ、従って甲虫が卵を食べるのを防止する寸法を有する。
【００５８】
例えば、孵化を目的として、産卵構造の第１の部分と第２の部分との間の距離は、卵の周りの領域を拡大するために広げられる。距離を広げることは、清掃のためにも有利であり得る。
【００５９】
任意選択の方法では、産卵構造全体が、成虫を産卵容器に残したまま産卵容器から取り出され、次のステップで、産卵構造の部分間の距離が広げられ、卵を含む産卵構造の第１の部分及び／又は第２の部分の孵化領域への移送が可能になる。
【００６０】
卵の産み付けは、産卵構造の一部に卵を付着させることを含む。特に、産卵構造の第１の部分が非接着性であり、卵が、産卵構造の第２の部分に産卵される実施形態が考えられる。有利なことに、このような実施形態では、卵を含む産卵構造の第２の部分が、比較的高い頻度で、例えば、毎日、産卵容器から取り出されて孵化領域に移送される。産卵構造の第１の部分は、定期的に交換することもできるが、比較的低い頻度で、例えば、毎週交換できる。
【００６１】
産卵構造の第１の部分が非接着性であり、且つ卵が産卵構造の第２の部分に産卵され、産卵構造の第１及び第２の部分が、互いに対して移動可能に産卵容器内に設けられる実施形態では、任意選択の方法により、卵を含む産卵構造の第２の部分を産卵容器から取り出して孵化領域に移送する前に、産卵構造の第１の部分と第２の部分との間の距離を産卵容器内で広げることができる。従って、第１の産卵構造の第１の部分は、産卵容器内に残しても良いが、卵を含む第１の産卵構造の第２の部分は、卵を含まない第２の部分と交換する。
【００６２】
産卵構造の第１の部分が非接着性である実施形態では、この部分は、異なる種類の材料から形成してもよいし、又は非接着性のコーティングを設けてもよい。調理器具から知られているこのような材料又はコーティングは、例えば、「テフロン（登録商標）」という商標で販売されているポリテトラフルオロエチレン（ＰＴＦＥ）、陽極酸化アルミニウム、セラミック、シリコーン、ほうろう引き鋳鉄（ｅｎａｍｅｌｅｄ  ｃａｓｔ  ｉｒｏｎ）、油をなじませた鋳鉄（ｓｅａｓｏｎｅｄ  ｃａｓｔ  ｉｒｏｎ）である。また、産卵構造の第１の部分は、使い捨ての非接着性表面、例えば、羊皮紙又はパン用剥離紙（ｂａｋｅｒｙ  ｒｅｌｅａｓｅ  ｐａｐｅｒ）を備えることも考えられる。
【００６３】
実施形態では、産卵構造は、相互の距離の増減を可能にする、互いに対して移動可能な第１、第２、及び第３の部分を含み、
・産卵を目的として、産卵構造の第１及び第２の部分が、多数の間隙がそれらの間に形成されるように互いに対して位置合わせ可能であり、且つ産卵構造の第２及び第３の部分も、多数の間隙がそれらの間に形成されるように互いに対して位置合わせ可能であり、
・孵化を目的として、産卵構造の第１の部分と第２の部分と第３の部分との間の距離が、卵の周りの領域を拡大するよう広げられるように適合されている。
【００６４】
このような実施形態では、甲虫が産卵する間隙の数は、単一産卵構造内の数の２倍である。有利な実施形態では、産卵構造の第１及び第３の部分の両方が非接着性であり、全ての卵が、産卵構造の第２の部分の両側に産卵される。これは、産卵構造のこの第２の部分のみが卵を保持し、従って、この第２の部分のみが孵化領域に配置されるという点で有利である。
【００６５】
実施形態では、産卵構造の各部分は、プレートとして実施される。これは、特に大量生産で有利である。実施形態では、間隔保持材が、産卵構造の第１及び第２の部分を互いに対して位置合わせしてこれらの間に多数の間隙を形成するためにプレート間に設けられる。
【００６６】
実施形態では、第１のプレートにスリット又は孔が設けられることによって、間隙が産卵構造の第１の部分と第２の部分との間に形成される。これらの孔は、円形又は他の形状の断面であり得る。好ましくは、孔の断面又はスリットの幅は、ガイマイゴミムシダマシでは７ｍｍ±１ｍｍであり、ツヤケシオオゴミムシダマシでは１０ｍｍ±１ｍｍである。孔間の相互距離は、例えば、８ｍｍ超、好ましくは１０ｍｍ超、好ましくは１０〜１５ｍｍである。
【００６７】
本発明の全ての態様によると、成虫及び昆虫の餌を産卵領域で受け取るように適合された複数の産卵容器を含む産卵領域が設けられる。
【００６８】
本発明の全ての態様による産卵容器は、あらゆる種類の材料：プラスチック、金属、ガラス、セラミックなどから形成することができるが、重量を考慮するとプラスチックが好ましい。実施形態では、産卵容器は、プラスチック、好ましくは熱可塑性ポリマー、例えば、ポリエチレン（ＰＥ）又はプロプロピレン（ＰＰ）から形成される。有利なことに、産卵容器は、清掃温度（５５℃を超え得る）に耐え、且つ清掃液及び殺菌剤の作用に耐える。更に、有利なことに、産卵容器は、最大４０℃又は最大５０℃もの高い動作温度に耐えるように適合されている。更に、有利なことに、産卵容器は、少なくとも１０〜２０ｋｇ、好ましくは１２〜１７ｋｇの耐荷重を有する。追跡を目的として、産卵容器は、有利なことに、認識デバイス、例えば、バーコード又はＲＦＩＤチップを備えている。
【００６９】
昆虫の種類によって、特に昆虫が飛べる又は飛べないにかかわらず、産卵容器は、蓋があってもよいし、又は蓋がなくてもよい。実施形態では、産卵容器の内面は、本質的に平滑である。これは、甲虫が容器から逃げるのを防止することができる。実施形態では、継ぎ目又は鋭い角が産卵容器内に存在せず、この産卵容器内に、トレー内に配置された材料を閉じ込めることができる。更に、産卵が産卵構造で行われることが望ましいため、昆虫が継ぎ目又は他の凹凸に卵を産み付けるのを防止するために継ぎ目又は他の凹凸は回避するべきである。有利なことに、平滑で丸い移行部が、底部と１つ以上の周壁との間に設けられる。
【００７０】
実施形態では、産卵容器が積み重ねられる。例えば、産卵容器は、トレーキャビネット内のトレーとして実施される。いずれの場合も、十分な換気が、産卵容器内の成虫のために設けられ、熱及びＣＯ２の放散が可能になる。例えば、穿孔領域が、産卵容器、例えば、上部及び／又は両側に設けられる。最適な産卵条件を得るために、昆虫繁殖センターでの環境、例えば、温度、湿度、及び換気が、有利に制御される。従って、各産卵容器内の環境を制御するために、１つ以上の換気孔を設けることが望ましい。産卵容器の上部が、カバーを備えている、又は別の積み重ねられた産卵容器によって覆われる実施形態では、容器の周壁は、好ましくは換気孔が設けられる。有利なことに、換気孔は、周壁の１０〜５０％、より好ましくは３０〜４０％を覆う。有利なことに、換気孔が、周壁の両側に設けられる。産卵容器が、間に４つの側面が設けられた４つの角を含む基本的に長方形の形状である実施形態では、有利なことに、換気孔を提供するために１つ以上の側面の少なくとも１つの部分が下げられている。
【００７１】
本発明の全ての態様による実施形態では、産卵容器の底部は、糞便の除去を可能にする穿孔領域を備えていることに留意されたい。これは、本発明の第１の態様に関連して上で既に説明され、従って、本発明の全ての態様に適用可能である。
【００７２】
産卵容器は、産卵領域で昆虫の餌、場合によっては水も受け取るように適合されている。昆虫の餌の例としては、小麦粉、鶏肉粉、醸造所で使用済みの穀物、卵粉、果物、例えば、リンゴなどが挙げられる。産卵容器は、場合によっては、産卵構造から離れ、そして穿孔底部領域が設けられている場合はそこからも離れた専用の給餌ゾーンを備えている。
【００７３】
本発明の全ての態様によると、少なくとも１つの産卵構造が、各産卵容器に設けられ、この産卵構造に、母昆虫が、産卵構造又は産卵構造の一部が卵を保持するように産卵し、前記産卵構造又はその一部が、成虫を産卵容器に残したまま産卵容器から取り出し可能である。本発明の第１及び第２の態様による産卵構造の種類は、繁殖される昆虫の種類に大きく依存する。一部の昆虫は、間隙に卵を産み付けることを好み、他の昆虫は、葉若しくは枝に、又は土中にくり抜かれた部屋に卵を産み付ける（例えば、コオロギ）。このような産卵構造は、例えば、クレート若しくはトレーに設けてもよいし、又は所望の割れ目を形成する複数の部品の組立体として形成してもよい。
【００７４】
実施形態では、産卵容器は、少なくとも１つの産卵容器を保持するための、産卵容器に取り付けられる又は産卵容器と一体に形成される１つ以上の産卵構造ホルダーを備え、卵を保持する産卵構造全体又はその少なくとも一部が、産卵構造ホルダーから取り外し可能である。実施形態では、産卵構造ホルダーは、ある相互距離で多数の産卵構造を保持するように適合されている。
【００７５】
本発明の全ての態様による卵が孵化する孵化領域は、卵を保持する産卵構造又は産卵構造の一部を受け取るように適合されている。実施形態では、孵化領域は、卵を保持する産卵構造又はその一部を垂直方向に受容し、これにより、初齢幼虫が重力によって下方に落下することができる。３０〜４０ｃｍの落下高さは、一般に、初齢幼虫にとって問題ない。場合によっては、初齢幼虫の孵化領域からの回収中に、初齢幼虫は、産卵構造又は産卵構造の一部から振り落とされる又は払い落される。初齢幼虫は、定期的に回収され、有利には毎日回収される。実施形態では、孵化領域は、卵を保持する産卵構造又は産卵構造の一部の下に設けられる１つ以上の初齢幼虫の回収容器を含む。
【００７６】
孵化領域で、卵が孵化する。孵化時間は、昆虫の種類によって異なり、且つ、例えば、数日から数週間の間で様々であり得る。ガイマイゴミムシダマシでは、孵化時間は５〜８日である。初齢幼虫は、孵化領域から定期的に回収される。産卵構造又はその一部が、孵化時間よりも高い頻度で孵化領域に設けられる実施形態では、回収頻度も多くなり得る。例えば、新しい産卵構造又はその一部が孵化領域に毎日設けられる場合は、初齢幼虫も、孵化領域から毎日回収される。代替の設定で、１週間に一度のみ、新しい産卵構造又はその一部が孵化領域に設けられる場合は、初齢幼虫も、その孵化領域から毎週回収することができる。
【００７７】
孵化領域は、卵を保持する産卵構造又はその一部を受け取るように適合されている。各孵化領域は、最大数百の産卵構造又はその一部を受容するように実施することができる。本発明の第２の態様によると、孵化領域は、複数の孵化室を含むことに留意されたい。実施形態では、孵化領域又は孵化室は、複数の孵化容器を含み、各孵化容器は、卵を保持する多数の産卵構造又はその一部、例えば、最大１００の産卵構造又はその一部を受容するように適合されている。このような孵化容器の寸法は、例えば、４００×６００ｍｍである。多数の孵化容器は、孵化室内で互いの上に積み重ねることができる。初齢幼虫の回収容器は、各孵化容器又は孵化容器の各積み重ねの下に設けることができる。
【００７８】
従って、孵化領域は、多数の産卵構造又はその一部を産卵容器から定期的に受け取る。更に、初齢幼虫は、孵化領域から定期的に回収される。有利なことに、卵を保持する産卵構造を受け取るため、空の産卵構造を取り出すため、及び初齢幼虫を取り出すためにロジスティクス（ｌｏｇｉｓｔｉｃｓ）が孵化領域で利用可能である。孵化容器を含む実施形態では、有利なことに、卵を保持する産卵構造又は産卵構造の一部を受け取った新しい孵化容器を受け取り、空の産卵構造又はその一部を含む孵化容器を取り出す、場合によっては初齢幼虫の回収容器も取り出す容器処理装置が設けられている。
【００７９】
本発明の全ての態様によると、卵を保持する産卵構造又はその一部を産卵容器から取り出して、これを孵化領域に移送し、そして空又はきれいな産卵構造又はその一部を各産卵容器に供給するように適合された産卵構造処理領域が設けられる。場合によっては、このような産卵構造処理領域は、産卵構造を清掃するようにも適合されている。本発明の全ての態様によると、卵は、成虫を産卵容器に残したまま産卵容器から定期的に取り出される。例えば、卵は、毎日、又は１日に２回、又は１日おきに取り出される。他の頻度も考えられる。産卵容器の清掃頻度は、取り出し頻度に一致し得るが、産卵構造が毎日取り出される場合でも、産卵構造を、数日の使用後、例えば、１週間に１回清掃することも考えられる。
【００８０】
本発明の全ての態様の実施形態では、産卵構造の第１の部分は、一切の卵が残存し得ないが、産卵構造の第２の部分は卵を含む。有利なことに、このような実施形態では、卵を含む産卵構造の第２の部分は、比較的高い頻度で、例えば、毎日、産卵容器から取り出されて孵化領域に移送される。産卵構造の第１の部分は、定期的に交換することもできるが、より低い頻度で、例えば、１週間に１回交換できる。
【００８１】
本発明の全ての態様の実施形態では、成虫を産卵容器から取り出し、産卵容器を清掃し、そして新しい成虫を産卵容器に入れるように適合された準備及び清掃設備が設けられる。方法に関して、本発明の全ての態様の方法は、更にステップを含み得る：準備及び清掃設備を設けるステップ、及び成虫を産卵容器から定期的に取り出すステップ、産卵容器を清掃するステップ、及び新しい成虫を産卵容器に入れるステップ。このような清掃は、高温、例えば、最大℃で、クレート洗浄機で行われ、場合によっては滅菌ステップを伴う。
【００８２】
本発明の全ての態様は、添付の図面に関連して更に説明される。
【図面の簡単な説明】
【００８３】
【図１】図１は、本発明の全ての態様による概略的な昆虫繁殖設備を示している。
【図２】図２は、本発明の全ての態様による昆虫を繁殖させるための方法の概略フローチャートを示している。
【図３ａ】図３ａは、産卵容器の第１の実施形態の上面図である。
【図３ｂ】図３ｂは、第１の実施形態の産卵容器の積み重ねの断面側面図である。
【図３ｃ】図３ｃは、産卵容器の第１の実施形態に類似した実施形態の斜視図である。
【図４ａ】図４ａは、産卵容器の第２の実施形態の上面図である。
【図４ｂ】図４ｂは、第２の実施形態の断面側面図である。
【図４ｃ】図４ｃは、第２の実施形態の産卵容器の積み重ねの断面側面図である。
【図５ａ】図５ａは、産卵容器の第３の実施形態の上面図である。
【図５ｂ】図５ｂは、第３の実施形態の断面側面図である。
【図５ｃ】図５ｃは、第３の実施形態の産卵容器の積み重ねの断面側面図である。
【図６ａ】図６ａは、ガイマイゴミムシダマシのＡ〜Ｄの段階の生活環を概略的に示している。
【図６ｂ】図６ｂは、ガイマイゴミムシダマシ甲虫を表現している。
【図６ｃ】図６ｃは、伸びた産卵管を有するガイマイゴミムシダマシ甲虫の概略側面図である。
【図７ａ】図７ａは、本発明の第３の態様による産卵構造の第１の実施形態の一部の非常に概略的な側面図である。
【図７ｂ】図７ｂは、本発明の第３の態様による産卵構造の代替の実施形態の一部の非常に概略的な側面図である。
【図８ａ】図８ａは、本発明の第３の態様による産卵構造の第２の実施形態の側面図である。
【図８ｂ】図８ｂは、本発明の第３の態様による産卵構造の第２の実施形態の正面図である。
【図８ｃ】図８ｃは、本発明の第３の態様による産卵構造の第２の実施形態の側面図の詳細である。
【図９ａ】図９ａは、本発明の第３の態様による産卵構造の第３の実施形態の側面図を示している。
【図９ｂ】図９ｂは、本発明の第３の態様による産卵構造の第３の実施形態の斜視図を示している。
【図１０】図１０は、産卵構造の第１の部分と第２の部分が互いに一定の距離に配置されている、本発明の第３の態様による産卵構造の第４の実施形態の斜視図を示している。
【図１１ａ】図１１ａは、産卵構造ホルダーの斜視図を示している。
【図１１ｂ】図１１ｂは、２つの産卵構造を含む産卵構造ホルダーの斜視図を示している。
【図１２】図１２は、産卵容器の積み重ねを示している。
【図１３ａ】図１３ａは、卵を保持する産卵構造の部分で部分的に満たされた孵化容器の斜視図を示している。
【図１３ｂ】図１３ｂは、卵を保持する産卵構造の複数の部分を含む図１３ａの孵化容器の上面図を示している。
【発明を実施するための形態】
【００８４】
図１では、本発明の全ての態様による昆虫繁殖施設１は、概略的に示されている。図２では、本発明の全ての態様による昆虫を繁殖させるための方法のフローチャートが概略的に示されている。
【００８５】
産卵容器の複数のバッチを形成する積み重ねられた産卵容器３の列が産卵領域２に設けられており、この産卵容器は、産卵領域で成虫及び昆虫の餌を受け取るように適合されている。図３〜図５に関連して以降に詳細に説明されるように、この産卵領域では、各産卵容器は、少なくとも１つの産卵構造を備えている。このような産卵構造に、母昆虫が、産卵構造又は産卵構造の一部が卵を保持するように産卵し、前記産卵構造又は前記その一部は、成虫を産卵容器に残したまま産卵容器から取り出し可能である。
【００８６】
昆虫繁殖施設は、卵が孵化する孵化領域４を更に含み、この孵化領域は、卵を保持する産卵構造又はその一部を受け取り、この産卵構造又は前記その一部が産卵容器から取り出され、初齢幼虫の回収を可能にするように適合されている。図示されている実施形態では、孵化領域４は、複数の孵化室９を備え、それぞれの孵化室は、多数の産卵構造又はその一部を受け取るように適合されている。本発明の第２の態様によると、孵化室の数は、産卵容器３のバッチの数に一致している。孵化室９では、卵が孵化し、ｎ番目の孵化室が、産卵容器の対応するｎ番目のバッチの卵を保持する産卵構造又はその一部を受け取るように適合されている。
【００８７】
本発明の第１の態様による図示されている実施形態は、１つ以上の積み重ねを定期的にばらし、産卵容器を１つ以上の積み重ねに積み重ね、そして産卵容器を、餌を産卵容器に送達する餌送達システム７を含む給餌領域６に移送するように適合された容器処理システム５ａ、５ｂ、５ｃ、５ｄ、５ｅを含む。図示されている容器処理システムは、産卵容器の積み重ね用のコンベヤ５ａ、及び産卵容器の積み重ねを積み重ねばらし装置５ｃに移送するための自動ガイドビヒクル５ｂを含む。そこで、個々の産卵容器が、ベルトコンベヤ５ｄに乗せられ、産卵容器が、給餌領域６及び産卵構造処理領域８に移送される。ベルトコンベヤ５ｄの最後に積み重ね装置５ｅが設けられており、そこで、自動ガイドビヒクル５ｂによる移送のために産卵容器が積み重ねられて準備される。
【００８８】
産卵構造処理領域８に産卵構造処理システムが設けられており、この産卵構造処理システムは、図２に参照番号８ａで概略的に示されているように、成虫を産卵容器に残したまま、卵を保持する産卵構造又はその一部を産卵容器から取り出し、前記産卵構造又は前記一部を孵化領域４に移送するように更に適合されている。産卵構造処理システムは、図２に参照番号８ｃで概略的に示されているように、空又はきれいな産卵構造を各産卵容器に供給するように適合されている。好ましくは、産卵構造処理システムはまた、図２に参照番号８ｂで示されているように、産卵構造のホルダーを清掃するようにも適合されている。図２の概略表現では、産卵構造の清掃は、孵化領域４に隣接した産卵構造清掃施設２１で想定される。また、この産卵構造清掃施設は、産卵構造ホルダー清掃施設８ｂの代わり、又はこれに加えて設けられることも考えられる。
【００８９】
孵化領域４において、卵が、初齢幼虫に孵化し、初齢幼虫は、図２に参照番号２０で示されているように定期的に回収される。図１に示されている実施形態では、これらの初齢幼虫は、予備飼育処理室１０に移送され、そこで、初齢幼虫は、初齢幼虫用容器１２に収集される。これらの初齢幼虫用容器は、予備飼育領域１１に移送され、そこで、初齢幼虫は数日維持されて、強くなり、若い幼虫に育つ。これらの若い幼虫は、離れた飼育施設に移送することができ、そこで、若い幼虫は、消費に適した成熟した幼虫に育てられる。
【００９０】
若い幼虫の一部は、変態室１３に移送することもでき、そこで、若い成虫は、成熟した幼虫に育てられ、そして蛹化して甲虫になる。この最後に、若い幼虫は、初齢幼虫用容器１２から蛹化容器１４に移される。
【００９１】
図示されている実施形態では、容器処理システム５ａ〜５ｅはまた、蛹化容器を蛹化容器用のコンベヤ５ａで処理し、そして自動ガイドビヒクル５ｂが、この容器を積み重ねばらし装置５ｃに移送するように適合されている。そこで、個々の蛹化容器１４は、ベルトコンベヤ５ｄに乗せられ、蛹化容器１４が分離及び準備施設１５に移送され、そこで、図２に参照番号１５ａで示されているように、甲虫が蛹化容器から分離されて新しい空の産卵容器に入れられる。図２では、分離及び準備施設１５の異なる機能が明らかにされている。甲虫は、例えば、選別及び移動装置によって糞便及び他の考えられる残余から分離される。
【００９２】
容器の残留内容物、即ち、餌及び残渣、例えば、糞が、蛹化容器から除去され、そして蛹化容器は、容器を清掃するために清掃設備１６に移送される。余剰の容器の貯蔵のために容器緩衝装置１７が有利に設けられている。
【００９３】
産卵領域２で十分な時間を過ごし、そして産卵数が閾値よりも低下した産卵容器も、ベルトコンベヤ５ｄで分離及び準備施設１５に移送され、そこで、図２に参照番号１５ｂ及び２２で示されているように、容器の内容物、即ち、甲虫と餌が、成虫を産卵容器に残したまま産卵容器から取り出され、そして産卵容器は、容器を清掃するために清掃設備１６に移送される。容器緩衝装置１７は、余剰の容器を貯蔵するために設けられている。ステップ１５ａで甲虫を受け取るためにステップ１５ｃで産卵容器を準備することができる。
【００９４】
図３ａ及び図３ｂでは、本発明の全ての態様による産卵容器３０の第１の実施形態は、様々な図で示されている。図３ｃでは、第１の実施形態と同様の実施形態が示されている。産卵容器３０は、４つの角３０ａ、３０ｂ、３０ｃ、３０ｄを含む本質的に長方形であり、これらの角の間に、ここでは４つの側面３０ｋ、３０ｌ、３０ｍ、３０ｎを含む周壁が設けられており、角部は、トレーの積み重ねを可能にする構成を有し、且つ積み重ねられたトレーの重い荷重に対して十分な強度を提供する。図３ｂの断面側面図では、角部が、上部角支持面３０ｕを画定し、この上に、噛み合い構造により底部角支持面３０ｖを積み重ねられ得ることが考えられる。図３ｃの実施形態では、トレーの積み重ねを可能にするために、角部に積み重ね要素３６が設けられている。
【００９５】
産卵容器３０は、糞便の除去を可能にするための穿孔領域３２を備えた底部３１が設けられている。図３ｂでは、積み重ねられた産卵容器３０、３０’が示されており、この下に、糞便回収トレー３９が配置されている。穿孔領域は、好ましくは、糞便の除去は可能にするが、成虫が閉じ込められない寸法の開口３２ａを有する。
【００９６】
図３ａ及び図３ｂの実施形態では、産卵容器３０は、熱及びＣＯ２の放散を可能にするための換気孔３３を備えた周壁３０ｋ〜３０ｎを含む。
【００９７】
図示されている実施形態では、産卵容器３０は、穿孔底部領域３２から離れた専用の給餌ゾーン３４も備えている。
【００９８】
本発明の全ての態様によると、産卵容器３０は、産卵構造３５（ここでは４つの産卵構造３５）を備え、この産卵構造で、母昆虫が、産卵構造又は産卵構造の一部が卵を保持するように産卵し、前記産卵構造又は前記その一部が、成虫を産卵容器に残したまま産卵容器から取り出し可能である。産卵構造は、給餌ゾーン３４及び穿孔底部領域３２から離れて配置されている。
【００９９】
図４ａ〜図４ｃでは、本発明の全ての態様による産卵容器４０の第２の実施形態が、様々な図に示されている。産卵容器４０の形状は、間に周壁が設けられた４つの角を有する産卵容器３０の形状に実質的に一致し、この角の部分は、トレーの積み重ねを可能にすると共に、積み重ねられるトレーの重い荷重に対して十分な強度を提供する構造を有する。産卵容器４０は、熱及びＣＯ２の放散を可能にするための換気孔４３を含む。
【０１００】
産卵容器４０は、糞便の除去を可能にするための４つの穿孔領域４２を備えた底部４１を含む。図４ｃでは、積み重ねられた産卵容器４０、４０’が示されており、この下に、糞便回収トレー４９が配置されている。
【０１０１】
図示されている実施形態では、産卵容器４０は、穿孔底部領域４２から離れた専用の給餌ゾーン４４も備えている。
【０１０２】
本発明の全ての態様によると、産卵容器４０は、産卵構造４５（ここでは４つの産卵構造４５）を備え、この産卵構造で、母昆虫が、産卵構造又は産卵構造の一部が卵を保持するように産卵し、前記産卵構造又は前記その一部が、成虫を産卵容器に残したまま産卵容器から取り出し可能である。産卵構造は、穿孔底部領域４２及び給餌ゾーン４４から離れて配置されている。
【０１０３】
図５ａ〜図５ｃでは、本発明の全ての態様による産卵容器５０の第３の実施形態が、様々な図に示されている。産卵容器５０の形状は、間に周壁が設けられた４つの角を有する産卵容器３０の形状に実質的に一致し、この角の部分は、トレーの積み重ねを可能にすると共に、積み重ねられるトレーの重い荷重に対して十分な強度を提供する構造を有する。産卵容器５０は、熱及びＣＯ２の放散を可能にするための換気孔５３を含む。
【０１０４】
産卵容器５０は、糞便の除去を可能にするための４つの穿孔領域４２を備えた底部５１を含む。図５ｃでは、積み重ねられた産卵容器５０、５０’が示されており、この下に、糞便回収トレー５９が配置されている。
【０１０５】
図示されている実施形態では、産卵容器５０は、穿孔底部領域５２から離れた専用の給餌ゾーン５４も備えている。
【０１０６】
本発明の全ての態様によると、産卵容器５０は、産卵構造５５（ここでは４つの産卵構造５５）を備え、この産卵構造で、母昆虫が、産卵構造又は産卵構造の一部が卵を保持するように産卵し、前記産卵構造又は前記その一部が、成虫を産卵容器に残したまま産卵容器から取り出し可能である。産卵構造は、穿孔底部領域５２及び給餌ゾーン５４から離れて配置されている。
【０１０７】
図６ａ〜図６ｃでは、ガイマイゴミムシダマシが示されており、このガイマイゴミムシダマシは、特に、本発明の全ての態様による昆虫繁殖方法を用いて昆虫繁殖設備で繁殖されるように適合された昆虫である。図６ａでは、ガイマイゴミムシダマシの生活環が段階で示されており、成体甲虫は、参照文字Ａで示されている。この成体甲虫は、図６ｂの拡大図及び図６ｃの概略側面図に示されている。この図では、伸びた産卵管１００がはっきりと見える。成体甲虫は、参照文字Ｂで示される卵を産む。これらの卵は、参照文字Ｃで示される初齢幼虫に孵化し、参照文字Ｄで示されている蛹段階になるまで脱皮する。
【０１０８】
図７ａ及び図７ｂには、本発明の第３の態様による代替の産卵構造６０、７０の一部の非常に概略的な側面図が示されている。産卵構造６０、７０では、母昆虫が卵Ｂを産む。産卵構造６０、７０は、相互の距離の増減を可能にするように互いに対して移動可能な第１の部分６１、７１及び第２の部分６２、７２を含む。図７ａ及び図７ｂでは、産卵構造６０、７０の第１の部分及び第２の部分は、これらの間に複数の間隙６３、７３が形成されるように互いに対して配置されている。図７ａ及び図７ｂの部分図では、２つの間隙は、産卵構造の第１の部分における目に見える隣接開口６４、７４であり、場合によっては細長い。加えて、間隙は、産卵構造６０、７０の上部及び底部にも生じる。母昆虫は、卵Ｂをこれらの間隙に産み付けることもできる。本発明の全ての態様によると、卵Ｂを保持する産卵構造の１つ又は複数の部分が、成虫を産卵容器に残したまま産卵容器から取り出し可能である。図示されている実施形態では、孵化を目的として、産卵構造６０、７０の第１の部分６１、７１と第２の部分６２、７２との間の距離が、卵の周りの領域を拡大するために広くなるように適合されている。
【０１０９】
図８ａ〜図８ｃでは、本発明の第３の態様による産卵構造６５の第２の実施形態が概略的に示されている。産卵構造６５は、相反する面６６ａ、６６ｂを有し、面６６ａは、図８ｂの正面図に示され、面６６ａ、６６ｂは、昆虫産卵容器（不図示）の登坂可能な面として配置されているため、伸ばせる産卵管を有する這う母甲虫、例えば、ガイマイゴミムシダマシ又はツヤケシオオゴミムシダマシが、容器の底部から産卵構造の登坂可能な面の上をこの面に沿って這うことができる。産卵構造６５は、場合によっては、産卵容器内に垂直に配置され、２つの垂直な登坂可能な面６６ａ、６６ｂとなる。産卵構造６５は、垂直に対してある角度をなして配置することもでき、そうすると、２つ又は唯１つの登坂可能な面６６ａ、６６ｂとなり得る。
【０１１０】
産卵構造６５は、特に母甲虫の産卵管の進入を可能にする、登坂可能な面６６ａ、６６ｂからアクセス可能な多数の間隙６７を含む。間隙６７は、母甲虫の産卵管に合わせて調整された寸法、具体的には幅ｗ及び深さｄを有する。ガイマイゴミムシダマシの繁殖では、間隙の幅ｗは、０．２〜１．２ｍｍ、好ましくは０．５ｍｍである。ツヤケシオオゴミムシダマシの繁殖では、間隙の幅は、０．２〜１．８ｍｍ、好ましくは約１．０ｍｍである。図示されている実施形態の間隙の深さは、幅の約８倍であり、従って、４〜１０ｍｍであり得る。図示されている実施形態の間隙の長さは、産卵構造全体に亘って延びており、多数の母甲虫が互いに隣接して産卵することができる。
【０１１１】
本発明の第３の態様による間隙は、登坂可能な面からアクセス可能であることに留意されたい。実施形態では、図８ａ〜図８ｃに示されているように、間隙は、登坂可能な面に対して本質的に垂直に延びている。間隙は、登坂可能な面に対して上方又は下方にある角度、例えば、３０〜７０°で延びることも考えられる。
【０１１２】
図９ａ及び図９ｂでは、本発明の第３の態様による産卵構造の第３の実施形態の一部であるプレート型の第１の部分７５が様々な位置で示されている。これは、図１０に関連してより詳細に説明される。
【０１１３】
図１０では、伸ばせる産卵管を有する這う母昆虫のタイプの昆虫、例えば、ガイマイゴミムシダマシ又はツヤケシオオゴミムシダマシを繁殖させるための、本発明の第３の態様による産卵構造８０の第４の実施形態が示されている。甲虫は、図６ｃに示されているように伸ばせる産卵管を有する。このような昆虫は、間隙に卵を産むことを好み、卵は、表面に付着される。図９の産卵構造８０の実施形態は、３つのプレート型部分、特に、相互の距離の増減を可能にするように互いに対して移動可能な第１の部分８１、８２及び第２のプレート８３の組立体を提供する。唯１つの第１の部分８１が設けられることも同様に考えられることに留意されたい。
【０１１４】
図１１ａ及び図１１ｂに示されているような産卵構造ホルダー８５では、産卵構造８０の第１の部分８１、８２及び第２の部分８３が、それらの間に多数の間隙８４が形成されるように互いに対して配置され、これは、産卵にとって適した位置である。特に、第１の部分８１、８２は、プレート間に多数の間隙８４を形成するために切り取り部８６が設けられている。プレート８１、８２、及び８３は、短い相互距離、例えば、０．２〜１．２ｍｍに配置され、切り取り部８６の外形と第２のプレート８３との間に間隙が形成される。図１０及び図１１に図示されている実施形態では、切り取り部８６は、円形の形状を有する。また、切り取り部は、スリット若しくはよりジグザグの形状として実施される、又は波形の形状であることも考えられる。間隙８４は、第１のプレートと第２のプレートとの間に形成されるため、これらの間隙は、産卵構造８０の上部、底部、及び側端部にも形成される。母甲虫の産卵を成功させるために、形成される間隙は、産卵中に産卵構造の第１の部分及び／又は第２の部分にある間隙に卵が産み付けられるように、甲虫の伸びた産卵管の間隙への進入及び通過を可能にする寸法を有する。有利なことに、間隙の寸法は、間隙への口の進入を妨げ、従って甲虫が卵を食べるのを防止する。
【０１１５】
本発明の第３の態様によると、産卵構造８０の第１の部分８１、８２と第２の部分８３との間の距離を、卵が孵化する前の卵の周りの領域を拡大するために広げることができる。これは、図１０に示されている。この相互距離の増加は、成虫を産卵容器に残したまま産卵構造８０を産卵容器から取り出す前又は後に行われることも同様に考えられる。
【０１１６】
実施形態では、第１の部分８１、８２に隣接した間隙の側面が非接着性に形成され、この結果として、全ての卵が、産卵構造８０の第２の部分８３に付着する。結果として、この第２の部分８３のみが産卵容器から取り出され、孵化領域に移送される。或いは、第２の部分８３に隣接した間隙の側面が非接着性に形成され、この結果として、全ての卵が、産卵構造８０の第１の部分８１、８２に付着する。結果として、これらの第１の部分８１、８２が産卵容器から取り出され、孵化領域に移送される。図９ａ及び図９ｂに示されているように、プレート型の第１の部分７５の実施形態では、間隙が、円形の切り取り部７６の外形と不図示の第２のプレートとの間にも形成される。切り取り部７６間に、正方形の突出部７７が示され、この突出部は、非接着媒体を第２のプレートに配置するために、不図示の第２のプレートの方向に突き出ている。従って、卵は、図示されている産卵構造の第１の部分７５に付着する。
【０１１７】
本発明の第３の態様によると、空又はきれいな産卵構造が、産卵構造処理システムによって各産卵容器内に供給される。産卵構造の新しい又はきれいな第２の部分のみが第１のプレート８１、８２間に配置される、又は産卵構造全体が交換されて、第１のプレートが清掃されることが考えられる。
【０１１８】
図１１ａ及び図１１ｂでは、産卵構造ホルダー８５が示され、この産卵構造ホルダーは、産卵容器（不図示）に取り付けてもよいし、又は産卵容器と一体にしてもよい。図示されている産卵構造ホルダー８５は、２つの産卵構造８０、８０’を保持するように適合されている。産卵構造８０、８０’は、選択された相互距離に維持される。図示されている実施形態では、産卵構造８０、８０’全体が、産卵構造ホルダー８５から取り外し可能である。
【０１１９】
図１２では、パレット１０２に配置された１８の産卵容器１０１の積み重ね１００が、斜視図に示されている。６つの産卵容器ごとに、その下に糞便回収容器１０９が配置されている。積み重ねの上部に蓋１０３が配置されている。各容器には、図３ｃの実施形態に類似した４つの産卵構造が設けられている。
【０１２０】
産卵構造のこの第３の実施形態では、産卵構造の一部が卵を保持し、従って、この産卵構造の一部が産卵容器から取り出されて孵化領域に移送される。図１３ａ及び図１３ｂでは、卵を保持する産卵構造８０の複数の部分８３を受容するように適合された、孵化容器９０の可能な実施形態が示されている。図１３ａでは、卵を保持する産卵構造８０のプレート型部分８３を受容するように適合されたプレート受容スリット９１が示されている。図１３ａ及び図１３ｂでは、卵を保持する産卵構造８０の複数の部分８３を含む孵化容器９０が示されている。孵化容器の構成は、孵化領域又は孵化室内で複数の孵化容器９０を互いの上に積み重ねることができるような構成である。初齢幼虫回収容器は、各孵化容器又は孵化容器の各積み重ねの下に設けることができる。
【図１】
2018509167.tif 000003
【図２】
2018509167.tif 000004
【図３ａ】
2018509167.tif 000005
【図３ｂ】
2018509167.tif 000006
【図３ｃ】
2018509167.tif 000007
【図４ａ】
2018509167.tif 000008
【図４ｂ】
2018509167.tif 000009
【図４ｃ】
2018509167.tif 000010
【図５ａ】
2018509167.tif 000011
【図５ｂ】
2018509167.tif 000012
【図５ｃ】
2018509167.tif 000013
【図６ａ】
2018509167.tif 000014
【図６ｂ】
2018509167.tif 000015
【図６ｃ】
2018509167.tif 000016
【図７ａ】
2018509167.tif 000017
【図７ｂ】
2018509167.tif 000018
【図８ａ】
2018509167.tif 000019
【図８ｂ】
2018509167.tif 000020
【図８ｃ】
2018509167.tif 000021
【図９ａ】
2018509167.tif 000022
【図９ｂ】
2018509167.tif 000023
【図１０】
2018509167.tif 000024
【図１１ａ】
2018509167.tif 000025
【図１１ｂ】
2018509167.tif 000026
【図１２】
2018509167.tif 000027
【図１３ａ】
2018509167.tif 000028
【図１３ｂ】
2018509167.tif 000029
【国際調査報告】
2018509167.tif 000030
2018509167.tif 000031
2018509167.tif 000032